(57)【要約】【課題】容量を変えることができる濾筒及び濾筒を有する飲料容器を提供する。【解決手段】容量を変えることができる濾筒は、環状部材１、接続部材２Ａ、第１の筒部材３Ａ及び第２の筒部材４Ａを備える。環状部材１の外周面には、容器の瓶口に位置決めされる位置決め部１３が設けられる。接続部材２Ａは、環状部材１に接続された複数のブリッジ部１１が頂端に設けられる。ブリッジ部１１と環状部材１との間には、複数の出口１２が形成される。第１の筒部材３Ａは、第１の環状壁３１Ａを有する。第２の筒部材４Ａは、底壁に接続された第２の環状壁４１Ａを有する。第２の環状壁４１Ａの頂端には、第１の開口３３と連通した第２の開口４３と、第２のストッパ部とが設けられる。第２のストッパ部が第１のストッパ部により止められ、第２の筒部材４Ａが第１の筒部材３Ａから外れることを防ぐ。【選択図】図１
0003233477.tif 000002
【実用新案登録請求の範囲】
【請求項１】
環状部材、接続部材、第１の筒部材及び第２の筒部材を備えた、容量を変えることができる濾筒であって、
前記環状部材の外周面には、容器の瓶口に位置決めされる位置決め部が設けられ、
前記接続部材は、前記環状部材に接続された複数のブリッジ部が頂端に設けられ、前記ブリッジ部と前記環状部材との間には、複数の出口が形成され、
前記第１の筒部材は、第１の環状壁を有し、前記第１の環状壁は、前記接続部材の底端に接続され、前記第１の環状壁の底端には、第１の開口及び第１のストッパ部が設けられ、  
前記第２の筒部材は、底壁に接続された第２の環状壁を有し、前記第２の環状壁及び前記第１の環状壁は、可動可能に嵌設され、前記第２の筒部材は、前記第１の筒部材に対して上下に変位可能であり、前記第２の環状壁には、複数の側フィルター孔が形成され、
前記第２の環状壁の頂端には、前記第１の開口と連通した第２の開口と、第２のストッパ部と、が設けられ、
前記第２のストッパ部が前記第１のストッパ部により止められ、前記第２の筒部材が前記第１の筒部材から外れることを防ぐことを特徴とする、容量を変えることができる濾筒。
【請求項２】
前記第２の環状壁は、前記第１の環状壁の内側に位置し、
前記第１のストッパ部は、前記第１の開口に設けられた内凸縁であり、
前記第２のストッパ部は、前記第２の開口に設けられた外凸縁であることを特徴とする請求項１に記載の容量を変えることができる濾筒。
【請求項３】
前記第１の環状壁の頂端は、ねじ部により前記接続部材の底端に着脱可能に接続されることを特徴とする請求項２に記載の容量を変えることができる濾筒。
【請求項４】
前記第２の環状壁には、前記第１の環状壁に当接される滑り止めが設けられることを特徴とする請求項２に記載の容量を変えることができる濾筒。
【請求項５】
前記第２の筒部材の底壁には、複数の下フィルター孔が形成されていることを特徴とする請求項２に記載の容量を変えることができる濾筒。
【請求項６】
前記第１の筒部材の内側と外側とは前記第１の環状壁を介して直接連通せず、
前記第１の環状壁の底端には、前記第２の環状壁に可動可能に密着された止水パッキンが設けられていることを特徴とする請求項２に記載の容量を変えることができる濾筒。
【請求項７】
容器本体及び濾筒を備えた請求項１に記載の濾筒を有する飲料容器であって、
前記容器本体の一端には、第１の開口端が設けられ、前記第１の開口端には、結合部が設けられ、
前記濾筒は、環状部材、接続部材、第１の筒部材及び第２の筒部材を有し、
前記環状部材の外周面には、位置決め部が設けられ、前記位置決め部は、前記結合部中に係入して位置決めされ、
前記接続部材の頂端には、前記環状部材に接続された複数のブリッジ部が設けられ、前記ブリッジ部と前記環状部材との間には、複数の出口が設けられ、
前記第１の筒部材は、第１の環状壁を含み、前記第１の環状壁は、前記接続部材の底端に接続され、前記第１の環状壁の底端には、第１の開口及び第１のストッパ部が設けられ、
前記第２の筒部材は、底壁に接続された第２の環状壁を含み、前記第２の環状壁と前記第１の環状壁とが可動可能に嵌設され、前記第２の筒部材が前記第１の筒部材に対して上下に変位可能であり、前記第２の環状壁には、複数の側フィルター孔が形成され、前記第２の環状壁の頂端には、前記第１の開口と連通した第２の開口と、第２のストッパ部と、が設けられ、前記第２のストッパ部は、前記第１のストッパ部により止められ、前記第２の筒部材が前記第１の筒部材から外れることを防ぐことを特徴とする請求項１に記載の濾筒を有する飲料容器。
【請求項８】
前記容器本体は、前記第１の開口端に対する反対側に設けられた第２の開口端を有し、
前記第２の開口端には、着脱可能な蓋が設けられることを特徴とする請求項７に記載の飲料容器。
【考案の詳細な説明】
【技術分野】
【０００１】
本考案は、飲料容器に関し、特に、濾筒を有する飲料容器に関する。
【背景技術】
【０００２】
従来からお茶を淹れるためのコップ、ボトルなどの製品が市販されている。例えば、特許文献１では、瓶体の瓶口に濾筒の構造が掛止され、濾筒中に茶葉を投入してお湯を注ぎ入れるときに茶葉とお茶が分離されるため、容易に茶碗に注ぎ入れて飲むことができた。しかし、この従来の構造では、濾筒が瓶中の固定位置に設置されていたため、瓶体が深めであるか、瓶中の水量が少なめである場合、濾筒が水に浸からず、お茶が抽出されないことがあった。
【０００３】
また、特許文献２で開示している瓶体では、蓋上に穿孔が形成され、吊り索が穿孔に挿通されて瓶中に入れられ、吊り索には、茶葉を収容する濾筒が吊下げられていたため、吊り索を引っ張ることにより瓶中の濾筒の高さを調整していた。さらに、特許文献３で開示している濾筒は、異なる高さに瓶体上に掛止する掛耳がそれぞれ設けられ、掛止する掛耳を選択することにより瓶中での濾筒の高さを変えることができた。しかし、上述した２つの従来の構造は、瓶中で濾筒の高さを調整することができたが、濾筒内の容積が一定であったため、一定量の茶葉しか入れることができず、濃い目の味のお茶を淹れることは困難であった。
【先行技術文献】
【特許文献】
【０００４】
【特許文献１】台湾実用新案公告第Ｍ４９５８０８号公報
【特許文献２】台湾実用新案公告第Ｍ４６５８６７号公報
【特許文献３】台湾実用新案公告第Ｍ４６５８６８号公報
【考案の概要】
【考案が解決しようとする課題】
【０００５】
本考案の主な目的は、濾筒の容量を変えるとともに、容器内における高さを調整し、茶葉などの抽出物の量を調整し、その浸漬状態を調整する、容量を変えることができる濾筒及び濾筒を有する飲料容器を提供することにある。
【課題を解決するための手段】
【０００６】
本考案の要旨は、次の（１）〜（８）に記載の通りのものである。
（１）環状部材、接続部材、第１の筒部材及び第２の筒部材を備えた、容量を変えることができる濾筒であって、
前記環状部材の外周面には、容器の瓶口に位置決めされる位置決め部が設けられ、
前記接続部材は、前記環状部材に接続された複数のブリッジ部が頂端に設けられ、前記ブリッジ部と前記環状部材との間には、複数の出口が形成され、
前記第１の筒部材は、第１の環状壁を有し、前記第１の環状壁は、前記接続部材の底端に接続され、前記第１の環状壁の底端には、第１の開口及び第１のストッパ部が設けられ、  
前記第２の筒部材は、底壁に接続された第２の環状壁を有し、前記第２の環状壁及び前記第１の環状壁は、可動可能に嵌設され、前記第２の筒部材は、前記第１の筒部材に対して上下に変位可能であり、前記第２の環状壁には、複数の側フィルター孔が形成され、
前記第２の環状壁の頂端には、前記第１の開口と連通した第２の開口と、第２のストッパ部と、が設けられ、
前記第２のストッパ部が前記第１のストッパ部により止められ、前記第２の筒部材が前記第１の筒部材から外れることを防ぐことを特徴とする、容量を変えることができる濾筒。
（２）前記第２の環状壁は、前記第１の環状壁の内側に位置し、
前記第１のストッパ部は、前記第１の開口に設けられた内凸縁であり、
前記第２のストッパ部は、前記第２の開口に設けられた外凸縁であることを特徴とする前記（１）に記載の容量を変えることができる濾筒。
（３）前記第１の環状壁の頂端は、ねじ部により前記接続部材の底端に着脱可能に接続されることを特徴とする前記（２）に記載の容量を変えることができる濾筒。
（４）前記第２の環状壁には、前記第１の環状壁に当接される滑り止めが設けられることを特徴とする前記（２）に記載の容量を変えることができる濾筒。
（５）前記第２の筒部材の底壁には、複数の下フィルター孔が形成されていることを特徴とする前記（２）に記載の容量を変えることができる濾筒。
（６）前記第１の筒部材の内側と外側とは前記第１の環状壁を介して直接連通せず、
前記第１の環状壁の底端には、前記第２の環状壁に可動可能に密着された止水パッキンが設けられていることを特徴とする前記（２）に記載の容量を変えることができる濾筒。
（７）容器本体及び濾筒を備えた前記（１）に記載の濾筒を有する飲料容器であって、
前記容器本体の一端には、第１の開口端が設けられ、前記第１の開口端には、結合部が設けられ、
前記濾筒は、環状部材、接続部材、第１の筒部材及び第２の筒部材を有し、
前記環状部材の外周面には、位置決め部が設けられ、前記位置決め部は、前記結合部中に係入して位置決めされ、
前記接続部材の頂端には、前記環状部材に接続された複数のブリッジ部が設けられ、前記ブリッジ部と前記環状部材との間には、複数の出口が設けられ、
前記第１の筒部材は、第１の環状壁を含み、前記第１の環状壁は、前記接続部材の底端に接続され、前記第１の環状壁の底端には、第１の開口及び第１のストッパ部が設けられ、
前記第２の筒部材は、底壁に接続された第２の環状壁を含み、前記第２の環状壁と前記第１の環状壁とが可動可能に嵌設され、前記第２の筒部材が前記第１の筒部材に対して上下に変位可能であり、前記第２の環状壁には、複数の側フィルター孔が形成され、前記第２の環状壁の頂端には、前記第１の開口と連通した第２の開口と、第２のストッパ部と、が設けられ、前記第２のストッパ部は、前記第１のストッパ部により止められ、前記第２の筒部材が前記第１の筒部材から外れることを防ぐことを特徴とする前記（１）に記載の濾筒を有する飲料容器。
（８）前記容器本体は、前記第１の開口端に対する反対側に設けられた第２の開口端を有し、
前記第２の開口端には、着脱可能な蓋が設けられることを特徴とする前記（７）に記載の飲料容器。
【図面の簡単な説明】
【０００７】
【図１】図１は、本考案の第１実施形態に係る濾筒を示す分解斜視図である。
【図２】図２は、本考案の第１実施形態に係る濾筒を示す断面図である。
【図３】図３は、本考案の第１実施形態に係る飲料容器を示す分解斜視図である。
【図４】図４は、本考案の一実施形態に係る飲料容器で飲み物を淹れるときの状態を示す説明図である。
【図５】図５は、本考案の一実施形態に係る飲料容器で飲み物を淹れるときの状態を示す説明図である。
【図６】図６は、本考案の一実施形態に係る飲料容器からお茶を注ぎ出すときの状態を示す説明図である。
【図７】図７は、本考案の第２実施形態に係る濾筒を示す分解斜視図である。
【図８】図８は、本考案の第２実施形態に係る濾筒の使用状態の説明図である。
【図９】図９は、本考案の第２実施形態に係る飲料容器を示す断面図である。
【考案を実施するための形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
（第１実施形態）
図１及び図２を参照する。図１及び図２に示すように、本考案の第１実施形態に係る濾筒１００は、少なくとも環状部材１、接続部材２Ａ、第１の筒部材３Ａ及び第２の筒部材４Ａから構成されてなる。接続部材２Ａは、柱状に成形され、その頂端は、外方に延びた３つのブリッジ部１１を有するとともに、環状部材１の内側に接続される。ブリッジ部１１及び環状部材１はリング状に囲んで３つの中空状の出口１２が形成される。環状部材１の外周面には、容器の瓶口に位置決めされる４つの位置決め部１３が設けられる。第１実施形態の位置決め部１３は折れ曲がって外方に突出した板片である。接続部材２Ａの底端２３１Ａは、周囲に広がり、第１の筒部材３Ａにねじ接続されている。
【００１０】
第１の筒部材３Ａは、第１の環状壁３１Ａを有する。第２の筒部材４Ａは、第２の環状壁４１Ａを有する。第１の環状壁３１Ａ及び第２の環状壁４１Ａには、複数の側フィルター孔３１１，４１１がそれぞれ形成される。第１の環状壁３１Ａは、頂端が接続部材２Ａの底端２３１Ａに接続され、底端に第１の開口３３が形成されている。第１の開口３３は、内方に延びた内凸縁３３１を有する。第２の筒部材４Ａは、第２の環状壁４１Ａに接続された底壁４２Ａを有する。底壁４２Ａには、複数の下フィルター孔４２１が形成される。第２の環状壁４１Ａの頂端には、第２の開口４３が形成される。第２の開口４３には、外方に延びた外凸縁４３１が設けられる。第１の環状壁３１Ａには、第２の環状壁４１Ａが可動可能に嵌設される。第２の環状壁４１Ａは、第１の環状壁３１Ａの内側に位置し、第１の開口３３と第２の開口４３とが連通し、第２の筒部材４Ａは、第１の筒部材３Ａに対して上下に変位させて濾筒１００全体の容積を変えることができる。第２の筒部材４Ａが第１の筒部材３Ａから外れることを防ぐために、第２の筒部材４Ａの外凸縁４３１は、第１の筒部材３Ａの内凸縁３３１により止められる。
【００１１】
第１実施形態の第２の環状壁４１Ａは、第１の環状壁３１Ａ上に弾性当接され、外方に延びた複数の滑り止め部４５を有し、第２の筒部材４Ａを第１の筒部材３Ａに位置決めさせることができる。上述した滑り止め部４５は、折れ曲がって外方に突出した板片である。
【００１２】
図３を参照する。図３に示すように、本実施形態の飲料容器は、コップ状、瓶状又は筒状の容器本体５Ａを含む。容器本体５Ａは、一端に第１の開口端５１が設けられ、上述した濾筒１００が位置決めされる結合部が内側に設けられる。結合部は、横向きに延びて互いに平行な２つの環状リブ５２を含む。２つの環状リブ５２間には、位置決め溝５３が形成される。上述した濾筒１００は、環状部材１の位置決め部１３が位置決め溝５３に係入され、容器本体５Ａ中に位置決めされる。
【００１３】
上述した構造により、濾筒１００内には、茶葉などの抽出物が収容され、お茶を注ぎ出すときに茶葉とお茶とを分離させることができる。お茶の味の濃さは、濾筒１００に投入される茶葉の量により決まるため、濃いめのお茶を淹れる場合、図４に示すように、第２の筒部材４Ａを第１の筒部材３Ａから引き出して濾筒１００の容積を変え、茶葉を多めに投入する。
【００１４】
また、図５に示すように、第２の筒部材４Ａを第１の筒部材３Ａから下方に引き出すと、容器本体５Ａの底端に近づくため、容器本体５Ａ内に少なめの水を供給すると、水位が低くなり、第２の筒部材４Ａを引っ張って下げると、茶葉が水中に浸かり、お茶を抽出することができる。また、前述した機能に基づき、容器本体５Ａを深めの形状に成形することができるため、茶葉の浸漬には悪影響を与えない。
【００１５】
お茶を抽出した後、図６に示すように、濾筒１００を外さなくても、直接、容器本体５Ａを傾けるだけで、ブリッジ部１１と環状部材１との間の出口１２からお茶を注ぎ出すことができるため、使い易い。
【００１６】
（第２実施形態）
図７を参照する。図７に示すように、本考案の第２実施形態に係る濾筒２００は、少なくとも環状部材１、接続部材２Ｂ、第１の筒部材３Ｂ及び第２の筒部材４Ｂから構成されてなる。接続部材２Ｂは、柱状に成形され、その頂端は、外方に延びた３つのブリッジ部１１を有するとともに、環状部材１の内側に接続される。ブリッジ部１１及び環状部材１はリング状に囲んで３つの中空状の出口１２が形成される。環状部材１の外周面には、容器の瓶口に位置決めされる４つの位置決め部１３が設けられる。第２実施形態の位置決め部１３は、折れ曲がって外方に突出した板片である。接続部材２Ｂの底端２３１Ｂは、周囲に広がり、第１の筒部材３Ｂにねじ接続されている。
【００１７】
第１の筒部材３Ｂは、第１の環状壁３１Ｂを有する。第２の筒部材４Ｂは、第２の環状壁４１Ｂと、第２の環状壁４１Ｂに接続された底壁４２Ｂと、を有する。第１の環状壁３１Ｂ上には、フィルター孔が形成されていないため、第１の筒部材３Ｂの内側と外側とは第１の環状壁３１Ｂを介して連通されていない。第２の環状壁４１Ｂには、複数の側フィルター孔４１１が形成されている。底壁４２Ｂ上には、フィルター孔が形成されていないため、第２の筒部材４Ｂの内側と外側とは、底壁４２Ｂを介して連通されていない。第１の環状壁３１Ｂは、頂端が接続部材２Ｂの底端２３１Ｂに接続され、底端に第１の開口３３が形成されている。第１の開口３３には、内方に延びた内凸縁３３１が設けられる。第２の環状壁４１Ｂの頂端には、第２の開口４３が形成される。第２の開口４３は、外方に延びた外凸縁４３１を有する。第２の環状壁４１Ｂは、第１の環状壁３１Ｂの内側に位置するとともに、第１の環状壁３１Ｂに対して可動可能に嵌設される。第１の開口３３は、第２の開口４３と連通し、第２の筒部材４Ｂを第１の筒部材３Ｂに対して上下に変位させると、濾筒２００全体の容積が変わる。第２の筒部材４Ｂが第１の筒部材３Ｂから外れることを防ぐために、第２の筒部材４Ｂの外凸縁４３１は、第１の筒部材３Ｂの内凸縁３３１により止められる。第１の環状壁３１Ｂの底端には、第２の環状壁４１Ｂが摺動可能に密着された止水パッキン３４が設けられる。第１の筒部材３Ｂが第２の筒部材４Ｂに対して移動されると、止水パッキン３４が第２の環状壁４１Ｂの側フィルター孔４１１の下方に移動する。
【００１８】
上述した構造により、図８に示す第２の筒部材４Ｂを第１の筒部材３Ｂに対して上方へ押し入れると、止水パッキン３４が第２の環状壁４１Ｂの側フィルター孔４１１の下方に移動するため、第１の環状壁３１Ｂと第２の環状壁４１Ｂとの間の間隙を封止し、フィルター孔が無い底壁４２Ｂの組み合わせにより濾筒２００全体が封止された状態となり、濾筒２００内部に水が入らないようにして、お茶が濃くなり過ぎないようにする。
【００１９】
図９を参照する。図９に示すように、本考案の他の実施形態に係る飲料容器の構造は、容器本体５Ｂを含む。容器本体５Ｂの底端には、第１の開口端５１が設けられる。第１の開口端５１は、横向きに延びて互いに平行な２つの環状リブ５２を含む。２つの環状リブ５２間には、前述した濾筒１００を位置決め部１３により係入して位置決めする位置決め溝５３が形成される。容器本体５Ｂの頂端には、第２の開口端５４が設けられるとともに、着脱可能な蓋５５が設けられる。この構成により、第１の開口端５１又は第２の開口端５４を選んでお茶を注ぎ出すことができる。
【符号の説明】
【００２０】
１  環状部材
２Ａ  接続部材
２Ｂ  接続部材
３Ａ  第１の筒部材
３Ｂ  第１の筒部材
４Ａ  第２の筒部材
４Ｂ  第２の筒部材
５Ａ  容器本体
５Ｂ  容器本体
１１  ブリッジ部
１２  出口
１３  位置決め部
３１Ａ  第１の環状壁
３１Ｂ  第１の環状壁
３３  第１の開口
３４  止水パッキン
４１Ａ  第２の環状壁
４１Ｂ  第２の環状壁
４２Ａ  底壁
４２Ｂ  底壁
４３  第２の開口
４５  滑り止め部
５１  第１の開口端
５２  環状リブ
５３  位置決め溝
５４  第２の開口端
５５  蓋
１００  濾筒
２００  濾筒
２３１Ａ  底端
２３１Ｂ  底端
３１１  側フィルター孔
３３１  内凸縁
４１１  側フィルター孔
４２１  下フィルター孔
４３１  外凸縁
【図１】
0003233477.tif 000003
【図２】
0003233477.tif 000004
【図３】
0003233477.tif 000005
【図４】
0003233477.tif 000006
【図５】
0003233477.tif 000007
【図６】
0003233477.tif 000008
【図７】
0003233477.tif 000009
【図８】
0003233477.tif 000010
【図９】
0003233477.tif 000011